(57)【要約】【課題】更なる薄型化を可能とする携帯電子機器のジャック構造及び携帯電子機器を提供する。【解決手段】本発明は、オーディオプラグ１０を接続して使用する調律器１のジャック構造であって、調律器１の側面５に設けられた第１接点７と、側面５上かつオーディオプラグ１０が第１接点７と同時に接触可能な位置に設けられた第２接点８と、オーディオプラグ１０を側面５上に着脱可能に固着する永久磁石９とを備えることを特徴とする。【選択図】図２
2008204721.tif 000002
【特許請求の範囲】
【請求項１】
オーディオプラグを接続して使用する携帯電子機器のジャック構造であって、
前記携帯電子機器のケースの外面に設けられた第１接点と、
前記外面上かつ前記オーディオプラグが前記第１接点と同時に接触可能な位置に設けられた第２接点と、
前記オーディオプラグを前記外面上に着脱可能に固着する固着部と、
を備えることを特徴とする携帯電子機器のジャック構造。
【請求項２】
前記固着部は、磁石を有して構成されていることを特徴とする請求項１に記載の携帯電子機器のジャック構造。
【請求項３】
前記固着部は、前記携帯電子機器に設けられ、前記オーディオプラグを係止して前記外面上に固定する係止部材を有して構成されていることを特徴とする請求項１又は２のいずれか１項に記載の携帯電子機器のジャック構造。
【請求項４】
請求項１から３のいずれか１項に記載の携帯電子機器のジャック構造を備えることを特徴とする携帯電子機器。
【請求項５】
前記外面は、前記オーディオプラグの外周面と嵌合する凹部を有して形成されていることを特徴とする請求項４に記載の携帯電子機器。
【発明の詳細な説明】
【技術分野】
【０００１】
本発明は、調律器等の携帯電子機器における入出力のためのジャック構造及び携帯電子機器に関する。
【背景技術】
【０００２】
音声信号等を入力又は出力する調律器等の携帯電子機器は、装置の汎用性を確保するため、多くの場合、既製品のステレオ又はモノラルのオーディオプラグを挿入可能なジャックを設け、電子楽器やヘッドフォンなどの入出力機器のプラグを当該ジャックに挿入することによって使用する。
【０００３】
近年、携帯電子機器においては、更なる小型化や薄型化が要請されている。通常、上述のように使用する携帯電子機器においては、ジャックとして既製品のジャックユニットを機器の内部に組み込むことが多いが、当該ジャックユニットの厚みは、携帯電子機器を小型化や薄型化しようとする際の妨げとなる。
この問題に対して、特許文献１には、調律器内部のプリント基板に切り欠きを設けるなどして、ジャックとして機能する構造を形成することが提案されている。
【特許文献１】特開２００２−６２８７１号公報
【発明の開示】
【発明が解決しようとする課題】
【０００４】
しかしながら、特許文献１に開示された調律器でも、薄型化には限度がある。ジャックを形成する部品としては、複数の接点と、接点を保持するケース構造が必要であるが、特許文献１の方法では、調律器の筐体を当該ケース構造と兼用させることができるものの、挿入するプラグの厚みを確保する必要があり、プラグの厚みが薄型化の限界となる。
【０００５】
また、調律器の内部にプラグを収容する空間を考慮する必要があるため、部品の内部配置において制約が生じ、小型化においても限界がある。さらに、デザインの自由度も制限されるという問題がある。
【０００６】
本発明は上記事情に鑑みて成されたものであり、更なる薄型化を可能とする携帯電子機器のジャック構造及び携帯電子機器を提供することを目的とする。
【課題を解決するための手段】
【０００７】
本発明は、オーディオプラグを接続して使用する携帯電子機器のジャック構造であって、前記携帯電子機器のケースの外面に設けられた第１接点と、前記外面上かつ前記オーディオプラグが前記第１接点と同時に接触可能な位置に設けられた第２接点と、前記オーディオプラグを前記外面上に着脱可能に固着する固着部とを備えることを特徴とする。
【０００８】
本発明の携帯電子機器のジャック構造によれば、第１接点及び第２接点とオーディオプラグとが、携帯電子機器の外部で電気的に接続されるので、携帯電子機器の内部にオーディオプラグを収容するためのスペースを設ける必要がない。
【０００９】
前記固着部は、磁石を有して構成されてもよい。この場合、携帯電子機器の外観を大きく変えることなくオーディオプラグを携帯電子機器に固着させることができるので、デザインにおける自由度が向上する。
【００１０】
前記固着部は、前記携帯電子機器に設けられ、前記オーディオプラグを係止して前記外面上に固定する係止部材を有して構成されてもよい。この場合、係止部材によってオーディオプラグが確実にジャック構造の第１接点及び第２接点と接続される。
【００１１】
また、本発明の携帯電子機器は、本発明のジャック構造を備えていることを特徴とする。本発明の携帯電子機器によれば、ケースの外面上でオーディオプラグと電気的に接続することができるため、小型化、薄型化の容易な携帯電子機器を構成することができる。
【００１２】
前記外面は、前記オーディオプラグの外周面と嵌合する凹部を有して形成されてもよい。この場合、オーディオプラグが安定してジャック構造に収まるので、第１及び第２接点とオーディオプラグとが良好に接続される。
【００１３】
なお、「外周面と適合する凹部」とは、外周に曲面を有するオーディオプラグが、該凹部に嵌合することによって該外面に安定した状態で設置されるような凹部を意味し、オーディオプラグが凹部に嵌合して固定されることを必ずしも意味しない。従って、オーディオプラグの外周面の一部の曲面と適合するような曲面又はＵ字状の凹部に加えて、オーディオプラグが安定する略Ｖ字状の凹部なども含まれる。
【発明の効果】
【００１４】
本発明の携帯電子機器のジャック構造によれば、第１接点と第２接点とを携帯電子機器のケースの外面上でオーディオプラグと電気的に接続できるので、携帯電子機器の内部にオーディオプラグのためのスペースを確保する必要がない。従って、携帯電子機器をさらに薄型化、小型化することができ、デザインの自由度も高めることができる。
また、本発明の携帯電子機器によれば、オーディオプラグとの接続を可能にしつつ、より小型または薄型に携帯電子機器を構成することができる。
【発明を実施するための最良の形態】
【００１５】
以下、本発明の第１実施形態の携帯電子機器のジャック構造（以下、単に「ジャック構造」と称する。）及び携帯電子機器について、図１から図５を参照して説明する。
図１は本実施形態のケース構造を備えた調律器（携帯電子機器）１を示す斜視図である。調律器１は、筐体２の上面に設けられた表示部３と、表示部３の周囲に設けられた操作キー４と、筐体２の側面（外面）５に設けられた入力部（ジャック構造）６とを備えて構成されている。
【００１６】
入力部６は金属片で形成され、側面５からわずかに突出して設けられた第１接点７及び第２接点８と、第１接点７と第２接点８との間に設けられた板状の永久磁石（磁石、固着部）９とを備えて構成されている。各接点７、８の位置は、図２に示すように、接続対象となるオーディオプラグ１０の端子部１１の基端を側面５の右端に合わせて側面５に沿わせた際に、第１接点７が端子部１１の先端部１２と、第２接点８が端子部１１の円筒部１３とそれぞれ接触する位置に設けられる。
【００１７】
図３は図２のＡ−Ａ線における断面図である。図３に示すように、第１接点７及び第２接点８は、筐体２の内部に設けられた基板１４と電気的に接続されている。永久磁石９は筐体２の内壁に固定され、一部が筐体２の側面５に設けられた孔から筐体２の外側に露出している。
基板１４は表示部３とも接続されている。また、図３における筐体２の内部の上部スペースには調律器１の電源となる電池１５が収容されている。
【００１８】
図４（ａ）は通常時の筐体２の内部における第１接点７及び第２接点８周辺の拡大断面図である。第１接点７及び第２接点８は、金属で形成されており、図４（ｃ）に拡大して示すように、基板１４と電気的に接続されて固定された円筒形の固定部１６Ａ、１６Ｂと、固定部の下方に設けられた略円錐形の突出部１７Ａ、１７Ｂと、固定部１６Ａ、１６Ｂと突出部１７Ａ、１７Ｂとの間に設けられたバネ１８Ａ、１８Ｂとから構成されている。
【００１９】
突出部１７Ａ、１７Ｂの固定部１６Ａ、１６Ｂに対向する面には、棒状の軸部１９Ａ、１９Ｂが突出部１７Ａ、１７Ｂと同軸に設けられており、軸部１９Ａ、１９Ｂの先端は固定部１６Ａ、１６Ｂに軸線方向に移動可能に挿入され、固定部１６Ａ、１６Ｂと電気的に接続されている。バネ１８Ａ、１８Ｂは軸部１９Ａ、１９Ｂの周囲を取り囲むように固定部１６Ａ、１６Ｂと突出部１７Ａ、１７Ｂとの間に設けられ、突出部１７Ａ、１７Ｂを筐体２の外側方向に付勢している。従って、図４（ａ）に示す通常時において、突出部１７Ａ、１７Ｂはバネ１８Ａ、１８Ｂによって一部筐体２の外側に突出している。
【００２０】
また、第１接点７の突出部１７Ａとバネ１８Ａとの間には円盤状のスイッチ接点２０が設けられており、図４（ａ）に示す状態において、第１接点７の突出部１７Ａ付近に設けられた接触端子２１と接触するように構成されている。接触端子２１は、筐体２の内部に設けられた図示しない内蔵マイクに接続されている。
【００２１】
上記の構成を備えた入力部６を有する調律器１の動作について、図４（ａ）及び図４（ｂ）を参照して説明する。
まず、オーディオプラグ１０と接続されていない図４（ａ）の状態においては、上述のように、内蔵マイクと接続された接触端子２１が第１接点７のスイッチ接点２０と接触しているため、入力部６は内蔵マイクと接続されている。調律器１はこの状態において、接続されていない外部の楽器の発した音を内蔵マイクで拾って基板１４に入力し、表示部３に音名やオクターブ、セント偏差等の調律関連情報を表示する。ユーザは表示部３の情報を参照しながら、楽器の調律をすることができる。
【００２２】
図４（ｂ）に示すように、電子楽器等のオーディオプラグ１０を、端子部１１とコード部２２の間に設けられた基部２３が入力部６の設けられた側面５と隣接する側面に当接するように入力部６に接触させると、磁性体からなるオーディオプラグ１０は入力部６に設けられた永久磁石９によって筐体２の側面５上に固着される。
【００２３】
このとき、端子部１１の先端部１２が第１接点７の突出部１７Ａと、円筒部１３が第２接点８の突出部１７Ｂとそれぞれ当接して押圧され、各突出部１７Ａ、１７Ｂは、バネ１８Ａ、１８Ｂの付勢力に抗して筐体２の内部に押し込まれる。すると、第１接点７のスイッチ接点２０と接触端子２１との接触が解除され、入力部６と内蔵マイクとの電気的接続が遮断される。従って、調律器１は、オーディオプラグ１０と接続された電子楽器等の入力のみを受け付けることになり、ユーザは電子楽器から直接入力される音データに基づいて、周囲のノイズに左右されずに調律を行うことができる。
【００２４】
本実施形態のジャック構造によれば、調律器１の筐体２の外面に設けられた第１及び第２接点７、８と電子楽器等のオーディオプラグ１０とを接触させることで、オーディオプラグ１０を調律器１の内部に挿入せずに、オーディオプラグ１０が筐体２の外部に露出した状態で、調律器１と電子楽器等を電気的に接続することができる。従って、調律器１の厚みがオーディオプラグ１０の厚みに規制されず、調律器１をオーディオプラグ１０より薄く形成することも可能となるため、調律器１の更なる薄型化を図ることができる。
【００２５】
また、調律器１の筐体２の内部に、オーディオプラグ１０を収容するスペースを考慮する必要がないため、部品配置の自由度が向上し、調律器１をさらに小型化することが可能となる。
【００２６】
さらに、永久磁石９によってオーディオプラグ１０が筐体２に固定されるので、調律器１の外観を損なわずに、調律器１の外面にジャック構造を設けることができる。
加えて、オーディオプラグ１０の接続に連動して、スイッチ接点２０と接触端子２１との接続が解除され、内蔵マイク入力がオーディオプラグ入力に切り替わるので、ユーザが取り扱いやすい調律器１を構成することができる。
【００２７】
本実施形態においては、入力部６の設けられた筐体２の側面５が平面の場合を説明したが、図５（ａ）及び図５（ｂ）に断面図で示す変形例のように、入力部６の設けられる側面２４、２５を、略Ｖ字状または半円形等のオーディオプラグ１０の外周面と嵌合する凹部を有する形状に形成してもよい。このようにすると、オーディオプラグ１０の入力部６への収まりがよくなり、オーディオプラグ１０と各接点７、８（第１接点７は不図示）とがより良好に接続される。
また、さらにオーディオプラグ１０を安定して入力部６に収容させるために、永久磁石９を上述のような凹部を有する形状に形成することも可能である。
【００２８】
次に、本発明の第２実施形態について、図６から図８を参照して説明する。本実施形態と上述の第１実施形態の異なるところは、固着部の構成と、第１接点及び第２接点の形状である。なお、上述の第１実施形態と同様の構成要素については、同一の符号を付し、重複する説明を省略する。
【００２９】
図６は、本実施形態のジャック構造を備える調律器３１の斜視図である。本実施形態の調律器３１は、第１実施形態の永久磁石に代えて、筐体２の外面から延出して設けられた係止部材３２を固着部として備えている。
【００３０】
係止部材３２は、樹脂等の弾性を有する材料からなり、筐体３３の下面から入力部３４の設けられた筐体３３の側面３５側に延出する帯状の部材が略円筒形に巻くように形成された本体部３６と、本体部３６の先端部が外周側に折り返されて形成されたツマミ部３７とを有して構成されている。本体部３６の曲面形状は、円筒の内径が、接続対象となるオーディオプラグ１０の外径と略同一となるように形成される。
【００３１】
図７（ａ）に示すように、入力部３４の第１接点３８及び第２接点３９は、金属からなる板バネであり、それぞれ水平に形成された第１端部４０Ａ、４０Ｂ及び第２端部４１Ａ、４１Ｂと、第１端部４０Ａ、４０Ｂと第２端部４１Ａ、４１Ｂとの間に板バネを折り曲げ加工して設けられた突出部４２Ａ、４２Ｂとを有する。各接点３８、３９の第１端部４０Ａ、４０Ｂは筐体３３の内面に固定されており、突出部４２Ａ、４２Ｂは図７（ａ）に示す通常の状態において、先端が筐体３３に設けられた孔から突出するよう構成されている。
また、図７（ａ）の状態において、第１接点３８の第２端部４１Ａは、第１接点３８の近傍に設けられた接触端子２１と電気的に接続しており、第２端部４１Ａはスイッチ接点として機能している。
【００３２】
上記のように構成された調律器３１の使用時の動作について、図７（ａ）及び図７（ｂ）を参照して説明する。
まず、図７（ａ）に示す通常時においては、第１実施形態と同様に、入力部３４は図示しない内蔵マイクと接続されている。電子楽器等のオーディオプラグ１０を接続する際には、係止部材３２のツマミ部３７を持って筐体３３から離間する方向に開き、ツマミ部３７と筐体３３との間に形成された空間に、オーディオプラグ１０の端子部１１を挿入すると、係止部材３２の弾性力によって、オーディオプラグ１０の端子部１１が、入力部３４の設けられた側面３５に支持固定される。
【００３３】
このとき、各接点３８、３９の突出部４２Ａ、４２Ｂは、図７（ｂ）に示すようにオーディオプラグ１０の端子部１１に押圧されて筐体３３の内部に押し込まれる。各接点３８、３９は、筐体３３に固定された第１端部４０Ａ、４０Ｂを支点として撓み、第１接点３８の第２端部４１Ａと接触端子２１との接続が解除されて、内蔵マイクによる入力からオーディオプラグ１０による入力に切り替わる。
【００３４】
本実施形態の調律器３１によれば、係止部材３２によってオーディオプラグ１０の端子部１１が確実に筐体３３の外面上に支持固定されるので、電子楽器等の入力機器と調律器３１とを確実に接続しつつ、調律器３１の薄型化を図ることができる。
【００３５】
また、第１及び第２接点３８、３９が板バネで形成されているので、部品点数が少なく、簡素な構造で入力部３４を構成することができる。
【００３６】
なお、本実施形態においては、係止部材３２の本体部３６が筐体３３の下面から延出している例を説明したが、これに代えて、図８に断面図で示す変形例のように、２つに分かれた本体部４３Ａ及び４３Ｂが、オーディオプラグ１０を挟持するように筐体３３からそれぞれ延出して係止部材４４が形成されていてもよい。また、薄型化の効果は若干失われるが、デザイン性を考慮して、本体部４３Ａ及び４３Ｂを筐体の内部に隠れるように形成してもよい。
【００３７】
以上、本発明の実施形態について説明したが、本発明の技術範囲は上記実施の形態に限定されるものではなく、本発明の趣旨を逸脱しない範囲において種々の変更を加えることが可能である。
例えば、上記実施形態においては、固着部として永久磁石が第１接点と第２接点との間に設けられている例を説明したが、これに代えて、フェライト磁石を磁性体で囲んで磁路を形成して磁力を強化したものや、電磁石が設けられてもよい。また、設ける位置も第１接点と第２接点との間には限定されず、両接点の外側に複数設けられてもよい。さらに、第２実施形態の係止部材と組み合わせて固着部を構成することもできる。
【００３８】
また、上記各実施形態においては、オーディオプラグの基部が入力部の設けられた側面と隣接する側面に当接するように入力部に接触させた際に、オーディオプラグの端子部が第１接点及び第２接点と当接するように構成された例を説明した。このように構成するとオーディオプラグの位置決めが容易になるが、本発明のジャック構造における接点の位置関係はこれには限定されず、オーディオプラグの端子部が第１接点及び第２接点と当接する際に、必ずしも基部が携帯電子機器に当接しなくてもよい。
【００３９】
また、本実施形態では入力部に本発明のジャック構造を設けた例を説明したが、ジャックを介するものであれば出力部にも適用することができる。さらに、対象となる携帯電子機器も調律器には限定されず、例えば携帯オーディオプレイヤーのヘッドフォン出力端子等にも本発明のジャック構造を適用することができる。この場合には、対象となるジャックの直径、接点数、及び接点間距離等に応じて、本発明のジャック構造の設計パラメータを適宜変更すればよい。
【図面の簡単な説明】
【００４０】
【図１】本発明の第１実施形態のジャック構造を備える調律器を示す斜視図である。
【図２】図１の調律器の入力部と接続対象のオーディオプラグとを示す平面図である。
【図３】図２のＡ−Ａ線における断面図である。
【図４】（ａ）は同実施形態の調律器の第１及び第２接点の通常の状態、（ｂ）はオーディオプラグを接続した状態をそれぞれ示す断面図であり、（ｃ）は第１接点及び第２接点の拡大図である。
【図５】（ａ）及び（ｂ）は、同実施形態の変形例の入力部を示す断面図である。
【図６】本発明の第２実施形態のジャック構造を備える調律器を示す斜視図である。
【図７】（ａ）は同実施形態の調律器の第１及び第２接点の通常の状態、（ｂ）はオーディオプラグを接続した状態をそれぞれ示す断面図である。
【図８】同実施形態の変形例の係止部材を示す断面図である。
【符号の説明】
【００４１】
１、３１…調律器（携帯電子機器）、５、３５…側面（外面）、６、３４…入力部（ジャック構造）、７、３８…第１接点、８、３９…第２接点、９…永久磁石（磁石、固着部）、１０…オーディオプラグ、３２、４４…係止部材（固着部）
【図１】
2008204721.tif 000003
【図２】
2008204721.tif 000004
【図３】
2008204721.tif 000005
【図４】
2008204721.tif 000006
【図５】
2008204721.tif 000007
【図６】
2008204721.tif 000008
【図７】
2008204721.tif 000009
【図８】
2008204721.tif 000010